(57)【要約】      （修正有）【課題】信号線と電源線とを２本のケーブルに分離することで電源線による信号線への悪影響を低減したＵＳＢケーブルを提供する。【解決手段】ＵＳＢケーブル５０は、電源線３０と信号線３２とが第１のケーブル４０及び第２のケーブル４２にそれぞれ別に収容されているため、信号線３２が受ける電源線３０からの悪影響を低減することができる。これにより、信号線３２の信号品質が向上し、ＵＳＢオーディオ機器から出力する音声の品質を向上させることができる。【選択図】図１
0003162601.tif 000002
【実用新案登録請求の範囲】
【請求項１】
電源線と信号線の両端にＵＳＢ接続端子を有するＵＳＢケーブルにおいて、
前記両端のＵＳＢ接続端子の間を、
電源線が収容された第１のケーブルと信号線が収容された第２のケーブルとで接続したことを特徴とするＵＳＢケーブル。
【請求項２】
電力供給機器と接続する側のＵＳＢ接続端子を、
第１のケーブルと接続された第１のＵＳＢ接続端子と、
第２のケーブルと接続された第２のＵＳＢ接続端子と、
で構成することを特徴とする請求項１記載のＵＳＢケーブル。
【考案の詳細な説明】
【技術分野】
【０００１】
本考案は、ホスト機器と外部機器とを接続し電力供給と信号伝送とを行うＵＳＢケーブルに関するものである。
【背景技術】
【０００２】
近年、パーソナルコンピュータの分野を中心にＵＳＢ（Ｕｎｉｖｅｒｓａｌ  Ｓｅｒｉａｌ  Ｂｕｓ）接続が広く普及している。このＵＳＢ接続は信号線と電源線とを備えており、信号の送受信のみならずホスト機器から外部機器へ電力の供給を行うことができる。このため、ホスト機器からＵＳＢケーブルを介して電力の供給を受けて動作し、商用電源やバッテリ等からの電力供給が不要な外部機器も多く商品化されている。このようなＵＳＢケーブル経由で電力供給を受ける外部機器の一つとして、パーソナルコンピュータ等のホスト機器と接続して音楽等の音声を出力するＵＳＢオーディオ機器が挙げられる。
【０００３】
従来、音楽データの記録媒体としては、磁気テープ、ＣＤ、ＭＤ等が主であったが、現在では携帯型音楽プレーヤへ音楽データを伝送する観点からパーソナルコンピュータに接続された記録媒体に記録することが主流となっている。これに伴い、パーソナルコンピュータが従来の音楽再生機器の機能を担うこととなり、ＵＳＢケーブルを介してこれらの音声を出力するＵＳＢオーディオ機器の音質の向上が要求されている。
【０００４】
ＵＳＢオーディオ機器に対する音質の向上手段としては機器自体の性能を上げることの他に、ＵＳＢケーブルを伝送する信号の品質を向上させることが挙げられる。そして、ＵＳＢケーブルの信号品質を悪化させる一つの要因として、ＵＳＢケーブルが備えている電源線からの悪影響が考えられる。これに対し、下記［特許文献１］には信号線を被覆材で覆うことで信号線への電源線からの悪影響を低減する技術が記載されている。
【先行技術文献】
【特許文献】
【０００５】
【特許文献１】特開２００５−２５９３８５号公報
【考案の概要】
【考案が解決しようとする課題】
【０００６】
しかしながら、［特許文献１］の発明では信号線と電源線とが１本のケーブルに収容されているため、信号線が受ける電源線からの悪影響は排除し難い。
【０００７】
本考案は上記事情に鑑みてなされたものであり、信号線と電源線とを２本のケーブルに分離することで電源線による信号線への悪影響を低減したＵＳＢケーブルを提供することを目的とする。
【課題を解決するための手段】
【０００８】
本考案は、
（１）電源線３０と信号線３２の両端にＵＳＢ接続端子２０、２２を有するＵＳＢケーブルにおいて、
前記両端のＵＳＢ接続端子２０、２２の間を、電源線３０が収容された第１のケーブル４０と信号線３２が収容された第２のケーブル４２とで接続したことを特徴とするＵＳＢケーブル５０を提供することにより、上記課題を解決する。
（２）電力供給機器と接続する側のＵＳＢ接続端子２０を、第１のケーブル４０と接続された第１のＵＳＢ接続端子２０ａと、第２のケーブル４２と接続された第２のＵＳＢ接続端子２０ｂと、で構成することを特徴とする上記（１）記載のＵＳＢケーブル５０ａを提供することにより、上記課題を解決する。
【考案の効果】
【０００９】
本考案に係るＵＳＢケーブルは、信号線と電源線とを２本のケーブルに分離することで電源線による信号線への悪影響を低減することができる。
【図面の簡単な説明】
【００１０】
【図１】本考案に係る第１の形態のＵＳＢケーブルを示す図である。
【図２】本考案に係る第２の形態のＵＳＢケーブルを示す図である。
【考案を実施するための形態】
【００１１】
本考案に係るＵＳＢケーブルの実施の形態について図面に基づいて説明する。尚、図１、図２の（ａ）は、外部機器側のＵＳＢ接続端子２２にＢ型のＵＳＢ接続端子を用いた例を示し、図１、図２の（ｂ）はＡ型のＵＳＢ接続端子を用いた例を示す。
【００１２】
図１に示す本考案に係る第１の形態のＵＳＢケーブル５０は、ＵＳＢ接続端子２０、２２と、当該ＵＳＢ接続端子２０、２２の電源用端子であるＶＢａｓ端子Ｔ１とＧＮＤ端子Ｔ４とをそれぞれ結ぶ電源線３０と、ＵＳＢ接続端子２０、２２の信号用端子であるデータ（−Ｄ）端子Ｔ２とデータ（＋Ｄ）端子Ｔ３とをそれぞれ結ぶ信号線３２と、を有している。そして、ＵＳＢ接続端子２０、２２間は、電源線３０が収容された第１のケーブル４０と、信号線３２が収容された第２のケーブル４２とで繋がれている。以上が本考案に係る第１の形態のＵＳＢケーブル５０の構成である。
【００１３】
このＵＳＢケーブル５０を使用する場合、通常のＵＳＢケーブルと同様に、パーソナルコンピュータ等のホスト機器のＵＳＢ端子に一方のＵＳＢ接続端子２０もしくは２２を接続し、ＵＳＢオーディオ機器等の外部機器のＵＳＢ端子に他方のＵＳＢ接続端子２０もしくは２２を接続する。これにより、外部機器は第１のケーブル４０を介してホスト機器から規定の電力供給を受ける。また、外部機器とホスト機器との間では第２のケーブル４２を介して音声信号等が送受信される。そして、外部機器は第１のケーブル４０からの電力を受けて動作し、第２のケーブル４２からの信号に応じた音声を出力する。
【００１４】
このとき、電源線３０と信号線３２とは第１のケーブル４０及び第２のケーブル４２にそれぞれ別に収容されているため、信号線３２が受ける電源線３０からの悪影響を電源線３０と信号線３２とが同包されている従来のＵＳＢケーブルよりも低減することができる。これにより、信号線３２の信号品質が向上し、ＵＳＢオーディオ機器から出力する音声の品質を向上させることができる。
【００１５】
次に、本考案に係る第２の形態のＵＳＢケーブル５０ａを図２を用いて説明する。第２の形態のＵＳＢケーブル５０ａは、電力供給機器であるホスト機器の側のＵＳＢ接続端子２０が、第１のケーブル４０と接続された電源線用の第１のＵＳＢ接続端子２０ａと、第２のケーブル４２と接続された信号線用の第２のＵＳＢ接続端子２０ｂとで構成されている。つまり、第１のＵＳＢ接続端子２０ａはホスト機器と外部機器のＶＢａｓ端子Ｔ１とＧＮＤ端子Ｔ４のみを電源線３０で繋ぎ、第１のＵＳＢ接続端子２０ａのデータ（−Ｄ）端子Ｔ２とデータ（＋Ｄ）端子Ｔ３は何も接続されないＯＰＥＮの状態となる。また、第２のＵＳＢ接続端子２０ｂは、ホスト機器と外部機器のデータ（−Ｄ）端子Ｔ２とデータ（＋Ｄ）端子Ｔ３のみを信号線３２で繋ぎ、第２のＵＳＢ接続端子２０ｂのＶＢａｓ端子Ｔ１とＧＮＤ端子Ｔ４は何も接続されないＯＰＥＮの状態となる。
【００１６】
このＵＳＢケーブル５０ａを使用する場合、第１のＵＳＢ接続端子２０ａをホスト機器の一つのＵＳＢ端子に接続し、第２のＵＳＢ接続端子２０ｂをホスト機器のもう一つのＵＳＢ端子に接続する。また、ＵＳＢ接続端子２２を外部機器のＵＳＢ端子と接続する。接続はホスト機器側、外部機器側のどちらから行っても良いが、ホスト機器側の接続では電源線用の第１のＵＳＢ接続端子２０ａから先に接続を行うことが好ましい。尚、第１のＵＳＢ接続端子２０ａと第２のＵＳＢ接続端子２０ｂとは、色彩を変えたり“電源”や“先”等の文字を入れ、どちらが電源線用のＵＳＢ接続端子２０ａかをユーザに判別可能としても良い。
【００１７】
この接続により、外部機器は第１のＵＳＢ接続端子２０ａ及び第１のケーブル４０を介してホスト機器から規定の電力供給を受ける。また、外部機器とホスト機器との間では第２のＵＳＢ接続端子２０ｂ及び第２のケーブル４２を介して音声信号等が送受信される。
【００１８】
このとき、電源線３０と信号線３２とは第１のケーブル４０及び第２のケーブル４２にそれぞれ別に収容され、さらにホスト機器の別々のＵＳＢ端子に接続されるため、信号線３２が受ける電源線３０からの悪影響をさらに低減することができる。これにより、信号線３２の信号品質が向上し、ＵＳＢオーディオ機器から出力する音声の品質を向上させることができる。
【００１９】
尚、ＵＳＢケーブル５０、５０ａの第１のケーブル４０と第２のケーブル４２とには、理論上迷走電流の発生しないＰＣＯＣＣ−Ａ単線の２芯シールド構造のケーブルを採用することが好ましい。さらに、第１のケーブル４０及び第２のケーブル４２には、製造限界までカーボンを配合したＣＳＦチューブを被せることがより好ましい。この構成によれば、ＣＳＦチューブと２芯シールドケーブルとによるダブルシールド効果に加え、ケーブル４０、４２自体から発生する輻射ノイズのカットと電磁波吸収の効果をも得ることができる。
【００２０】
また、本例ではＵＳＢ１．１／２．０規格のＵＳＢ接続端子を例に説明を行ったが、本考案は次世代のＵＳＢ３．０規格にも適用が可能である。また、上記に示したＵＳＢケーブル５０、５０ａは一例であるから、本考案は本考案の要旨を逸脱しない範囲で変更して実施することが可能である。
【符号の説明】
【００２１】
２０、２２    ＵＳＢ接続端子
２０ａ  第１のＵＳＢ接続端子
２０ｂ  第２のＵＳＢ接続端子
３０    電源線
３２    信号線
４０    第１のケーブル
４２    第２のケーブル
５０、５０ａ    ＵＳＢケーブル
【図１】
0003162601.tif 000003
【図２】
0003162601.tif 000004